(57)【要約】【課題】洪水や津波等が発生した際の水位に関わらず、安全な避難と機能の維持を可能とした格納庫を提案する。【解決手段】建物本体２と、建物本体２の上部から上方に延びる通気路３とを備える格納庫１であって、建物本体２は格納空間４と格納空間４の上階に設けられた避難空間５とを備え、通気路３は避難空間５と建物本体２の外部空間とを連通し、避難空間５は密閉可能に構成されており当該避難空間５が密閉された状態となったときには通気路３のみを介して建物本体２の外部空間と連通する。【選択図】図３
2014058830.tif 000002
【特許請求の範囲】
【請求項１】
建物本体と、
前記建物本体の上部から上方に延びる通気路と、を備える格納庫であって、
前記建物本体は、格納空間と、前記格納空間の上階に設けられた避難空間と、を備え、
前記通気路は、前記避難空間と前記建物本体の外部空間とを連通し、
前記避難空間は、密閉可能に構成されており、当該避難空間が密閉された状態となったときには前記通気路のみを介して前記建物本体の外部空間と連通することを特徴とする、格納庫。
【請求項２】
前記建物本体が平面視円形状であることを特徴とする、請求項１に記載の格納庫。
【請求項３】
前記格納空間と前記避難空間と境界部に設けられた床面が、想定浸水水深よりも高い位置に設けられていることを特徴とする、請求項１または請求項２に記載の格納庫。
【請求項４】
前記避難空間に発電装置が設けられていることを特徴とする、請求項１乃至請求項３のいずれか１項に記載の格納庫。
【請求項５】
前記格納空間は、昇降可能な床を有していることを特徴とする、請求項１乃至請求項４のいずれか１項に記載の格納庫。
【発明の詳細な説明】
【技術分野】
【０００１】
本発明は、格納庫に関する。
【背景技術】
【０００２】
地震等による災害が生じた場合には、緊急車両やヘリコプター等の救援手段を早急に被災地に向けて出動させるのが望ましい。
【０００３】
ところが、地震等によりこれらの救援手段を収容した格納庫に破損が生じた場合には、救援手段を出動させることができなくなるおそれがある。
格納庫の耐力が不足している場合には、地震等に伴う外力に耐え得るように既存の格納庫を改修したり、耐久性に優れた格納庫を新築する必要がある。
【０００４】
例えば、特許文献１には、格納庫の床面と格納庫の前面エリアを一体構造にするとともに、地震時の外力に耐え得る強度にすることで、震災時においても内部に収容された車両やヘリコプター等の出動が可能な格納庫が開示されている。
【先行技術文献】
【特許文献】
【０００５】
【特許文献１】特開平１１−１１７５６６号公報
【発明の概要】
【発明が解決しようとする課題】
【０００６】
従来の格納庫は、大規模な洪水や津波等により格納庫の屋上にまで水位が到達することは想定されていなかった。そのため、想定以上の大規模な洪水や津波が生じた場合には、建物全体が水没して、内部に浸水してしまうおそれがあった。
【０００７】
また、大規模な洪水や津波が発生した際には、格納庫の周囲で作業している人も高台や高層建物などに避難する必要があるが、空港などのように敷地が広い場合には、高台への避難に時間がかかるおそれがある。
【０００８】
本発明は、前記の問題点を解決するものであり、洪水や津波等が発生した際の水位に関わらず、安全な避難と機能の維持を可能とした格納庫を提案することを課題とする。
【課題を解決するための手段】
【０００９】
前記課題を解決するために、本発明の格納庫は、建物本体と前記建物本体の上部から上方に延びる通気路とを備えるものであって、前記建物本体は格納空間と前記格納空間の上階に設けられた避難空間とを備え、前記通気路は前記避難空間と前記建物本体の外部空間とを連通し、前記避難空間は、密閉可能に構成されており、当該避難空間が密閉された状態となったときには前記通気路のみを介して前記建物本体の外部空間と連通することを特徴としている。
【００１０】
かかる格納庫によれば、通気路以外は気密性を保つことで、洪水や津波等の災害時における機能維持の確保が可能である。
また、格納庫の周囲において作業を行う人等の安全も確保できる。
さらに、格納庫全体が水没した場合であっても、通気路により内部空間の空気を確保できる。
【００１１】
前記建物本体が平面視円形状の円筒状であれば、格納庫に作用する津波の水圧の低減化を図ることが可能となる。
【００１２】
また、前記格納空間と前記避難空間と境界部に設けられた床面が、想定浸水水深よりも高い位置に設けられていれば、避難空間への浸水を確実に防止できる。
【００１３】
前記避難空間に発電装置が設けられていれば、災害時にも電力を確保することができ、格納庫の機能を維持することができる。
【００１４】
さらに、前記格納空間が、昇降可能な床を有していれば、建物本体の内部に浸水した場合であっても、格納物を浸水の被害から守ることができる。
【発明の効果】
【００１５】
本発明の格納庫によれば、洪水や津波等が発生した際の水位に関わらず、安全な避難と機能の維持を確保することが可能となる。
【図面の簡単な説明】
【００１６】
【図１】本発明の実施形態に係る格納庫を示す斜視図である。
【図２】図１の格納庫の格納空間を示す平断面図である。
【図３】第一の実施形態に係る格納庫の断面図である。
【図４】第二の実施形態に係る格納庫の断面図である。
【図５】第三の実施形態に係る格納庫の断面図である。
【発明を実施するための形態】
【００１７】
＜第一の実施形態＞
以下、第一の実施形態について図面を参照して説明する。
第一の実施形態の格納庫１は、図１に示すように、防衛機能、災害救援機能の維持に必要である戦闘機等の飛行機を格納するものである。
なお、格納庫１の格納物は、飛行機に限定されるものではなく、例えばヘリコプターや自動車、その他の物資等であってもよい。
【００１８】
格納庫１は、建物本体２と、建物本体２の上部から上方に延びる通気路３とを備えている。本実施形態の建物本体２は、平面視円形状（図２参照）となるように、円筒状に形成されている。
なお、建物本体２の形状は限定されるものではない。
【００１９】
建物本体２は、鉄筋コンクリート造であって、耐火構造であるとともに、想定される震災や津波に耐え得る強度を備えている。本実施形態の建物本体２は、ミサイル荷重にも対応した強度を備えた、いわゆるスクランブル用アラートハンガー機能も備えている。なお、建物本体２の強度は、格納庫１の用途に応じて適宜設定すればよく、必ずしもスクランブル用アラートハンガー機能を備えている必要はない。また、建物本体２は、必ずしも鉄筋コンクリート構造である必要もない。
【００２０】
建物本体２は、図３に示すように、円筒状の側壁２１と、天井版２２と、床版２３，２４とにより形成されている。建物本体２は、津波等で水没した場合に、浮き上がることがないように、図示せぬ基礎と一体化されている。
【００２１】
建物本体２の内部は、格納空間４と避難空間５とを備えた複層構造となっている。
避難空間５は、格納空間４の上階に設けられており、格納空間４と避難空間５は、床版２３により分割されている。
【００２２】
格納空間４は、建物本体２の１階部分を構成している。格納空間４の床は、建物本体の外部の地面と同じ標高となるように形成されており、格納空間４の内外への走行が可能に構成されている。
【００２３】
図２に示すように、格納空間４の周囲を囲う側壁２１の一部には、開口部２１ａが形成されており、この開口部２１ａには開閉扉６が設置されている。
本実施形態では、開口部２１ａが建物本体２の中心部を挟んで対向するように２箇所形成されているが、開口部２１ａの配置や箇所数は限定されるものではない。
【００２４】
開閉扉６は、津波に耐え得る強度を備えたいわゆる耐津波圧扉により構成されていて、閉扉した状態で、開口部２１ａを密閉する。
【００２５】
避難空間５は、災害時に格納庫１の周囲にいた人の避難が可能となるように形成された空間であって、図３に示すように、格納空間４の上階に形成されている。
【００２６】
避難空間５は、床版２４により、第一避難空間５１と第二避難空間５２とに分割された複層階構造に形成されている。なお、避難空間５の階数は限定されるものではない。
【００２７】
第一避難空間５１には、発電装置７が配置されており、災害時においても電力の確保が可能に構成されている。なお、発電装置７は、必要に応じて配置すればよく、省略してもよい。
【００２８】
格納空間４と避難空間５との境界部分に形成された床版２３は、想定浸水水深よりも高い位置に形成されていて、床版２３には開口部２３ａが形成されている。なお、床版２３（避難空間５の床面）の高さは、限定されるものではない。
【００２９】
避難空間５は、開口部２３ａを介して格納空間４と連通している。開口部２３ａには、階段２５が接続されており、格納空間４から避難空間５への出入が可能に構成されている。また、開口部２３ａには、格納空間４，５を隔絶することが可能な図示しない遮蔽扉が設置されている。
【００３０】
また、建物本体２の屋上には、避難空間５に出入するための屋上口２６が形成されている。避難空間５には、屋上口２６につながる階段２５が形成されている。なお、屋上口２６には、避難空間５を外部から隔絶することが可能な図示しない遮蔽扉が設置されている。
【００３１】
避難空間５には、床版２３から屋上口２６に至る階段が形成されている。なお、本実施形態では、天井版２２および床版２４を貫通した状態で、建物本体２の中心部に階段が形成されているが、階段の配置等は限定されない。
また、天井版２２および床版２４の下面には、階段の周囲（天井版２２または床版２４に形成された開口）を囲うように垂れ壁２７が形成されている。なお、垂れ壁２７は必要に応じて形成すればよい。
【００３２】
避難空間５を囲う側壁２１、天井版２２および床版２３には、開口部２３ａおよび屋上口２６以外は開口されていない。つまり、避難空間５は、開口部２３ａおよび屋上口２６を遮蔽扉で遮蔽することにより、密閉された状態となる。
【００３３】
通気路３は、建物本体２の天井版２２を貫通して配設された筒状部材からなり、一端（上端３１）が建物本体２の上方に位置しており、他端（下端３２）が避難空間５の内部に位置している。つまり、通気路３は、避難空間５と建物本体２の外部空間とを連通し、建物本体２の内部への空気の供給や、建物本体２の内部からの排気を可能としている。
【００３４】
通気路３の上部には、図示しない圧力調整弁やフィルターが設置されている。
通気路３の上端は、建物本体２の屋上よりも高い位置に配置されており、津波により建物本体２が水没した場合であっても、通気路３が水没することがないように構成されている。
【００３５】
以上、本実施形態の格納庫１によれば、避難空間５の気密性を保つことができるため、建物本体２が水没した場合であっても、避難空間５内に水が入り込むことがなく、洪水や津波等の災害時における機能維持の確保が可能である。
【００３６】
格納空間４は、開閉扉６で密閉されるため、格納空間４内に水が入り込むこともない。
通気路３は、上端３１が屋上よりも高い位置に延設されているため、建物本体２が水没した場合であっても、避難空間５内の換気を行うことができる。
【００３７】
格納空間４の上階が避難空間５となっているため、格納庫１の周囲において作業を行う人等の安全も確保できる。
さらに、避難空間５を多層化したことで、より多くの避難者を収容することができる。
【００３８】
建物本体２の側壁２１が円筒状に形成されているため、流水抵抗を抑制することができ、かつ、側壁２１に曲げモーメントが発生しにくくなる。そのため、大きな津波が生じた場合でも、機能維持を確保することができる。
建物本体２は、耐火構造であるため火災の発生時にも安全性を確保できる。
【００３９】
避難空間５に発電装置７を配置しているため、災害時に送電が停止した場合であっても、電力を確保して、機能維持を確保することができる。
なお、通気路３により換気することで、発電装置７を駆動することにより排出された排気ガスを排気することができる。
【００４０】
格納空間４と避難空間５と境界部に設けられた床版２３が、想定浸水水深よりも高い位置に設けられているため、格納空間４に浸水があっても、避難空間５への浸水を防止し、避難者の安全を確保できる。
【００４１】
開閉扉６から建物本体２内に浸水し、水位が床版２３よりも高くなった場合でも、開口部２３ａの遮蔽扉を閉じることで、避難空間５への浸水を防止できる。
水位が建物本体２よりも高くなった場合でも、屋上口２６の遮蔽扉を閉じれば、避難空間５への浸水を防止できる。
【００４２】
さらに、水位が通気路３の上端３１よりも高くなった場合でも、通気路３のバルブ（図示せず）を閉めることで、避難空間５への浸水を防止できる。
何らかの原因により避難空間５への浸水があったとしても、垂れ壁２７により空気溜まりが形成されるため、避難者の安全を確保できる。
【００４３】
＜第二の実施形態＞
第二の実施形態の格納庫１は、図４に示すように、防衛機能、災害救援機能の維持に必要である飛行機を格納するものである。
【００４４】
格納庫１は、建物本体２と、建物本体２の上部から上方に延びる通気路３とを備えている。本実施形態の建物本体２は、平面視円形状（図２参照）となるように、円筒状に形成されている。
【００４５】
建物本体２は、鉄筋コンクリート造であって、耐火構造であるとともに、想定される震災や津波に耐え得る強度を備えている。
【００４６】
建物本体２は、円筒状の側壁２１と、天井版２２と、床版２３，２４とにより形成されている。
建物本体２の内部は、格納空間４と格納空間４の上階に設けられた避難空間５とを備えた複層構造となっている。格納空間４と避難空間５は、床版２３により分割されている。
【００４７】
格納空間４は、建物本体２の１階部分を構成している。格納空間４の床の一部は、上昇可能に構成された昇降床４１により構成されている。
昇降床４１は、格納空間４の床の中央部分を構成しており、昇降床４１を上昇させることで、格納物が上昇する。
【００４８】
昇降床４１は、天井版２２に固定されたウィンチ４２を利用して、昇降可能に構成されている。なお、昇降床４１を昇降させるための手段は限定されるものではない。
昇降床４１は、床版２３と同じ高さまで上昇し、昇降床４１と床版２３との隙間は、パッキン等により密封される。
【００４９】
格納空間４の周囲を囲う側壁２１の一部には、開口部２１ａが形成されており、この開口部２１ａには開閉扉６が設置されている（図２参照）。
開閉扉６は、津波に耐え得る強度を備えたいわゆる耐津波圧扉により構成されていて、閉扉した状態で、開口部２１ａを密閉する。
【００５０】
避難空間５は、災害時に格納庫１の周囲にいた人の避難が可能となるように形成された空間であって、図３に示すように、床版２３を介して格納空間４の上階に形成されている。
【００５１】
本実施形態では、想定浸水水深よりも高い位置となるように床版２３を形成している。なお、床版２３（避難空間５の床面）の高さは、限定されるものではない。
【００５２】
避難空間５は、床版２４により、第一避難空間５１と第二避難空間５２とに分割された複層階構造に形成されている。
避難空間５の床部分を構成する床版２３，２４は、昇降床４１の昇降を可能とするために、中央部分が開口している。
【００５３】
建物本体２の屋上には、避難空間５に出入するための屋上口２６が形成されている。
建物本体２は、開口部２１ａおよび屋上口２６以外は開口されていない。つまり、避難空間５は、開口部２１ａおよび屋上口２６を遮蔽することにより、密閉された状態となる。
【００５４】
通気路３は、建物本体２の天井版２２を貫通して配設された筒状部材からなる。通気路３の詳細は、第一の実施形態で示した通気路３と同様なため、詳細な説明は省略する。
【００５５】
以上、第二の実施形態の格納庫１によれば、格納空間４の床を昇降床４１とすることで、万が一建物本体２の内部に浸水したとしても、昇降床４１を上昇させることで、格納物を浸水の被害から守ることができる。
この他の第二の実施形態の格納庫１の作用効果は、第一の実施形態で示した内容と同様なため、詳細な説明は省略する。
【００５６】
＜第三の実施形態＞
第三の実施形態の格納庫１は、図５に示すように、防衛機能、災害救援機能の維持に必要である飛行機を格納する。
【００５７】
格納庫１は、建物本体２と、建物本体２の上部から上方に延びる通気路３とを備えている。本実施形態の建物本体２は、平面視円形状（図２参照）となるように、円筒状に形成されている。
【００５８】
建物本体２は、鉄筋コンクリート造であって、耐火構造であるとともに、想定される震災や津波に耐え得る強度を備えている。
【００５９】
建物本体２は、円筒状の側壁２１と、天井版２２と、床版２３，２４とにより形成されている。
建物本体２の内部は、格納空間４と格納空間４の上階に設けられた避難空間５とを備えた複層構造となっている。格納空間４と避難空間５は、床版２３により分割されている。
【００６０】
格納空間４は、建物本体２の１階部分を構成している。格納空間４の床は、一部が下降可能に構成された昇降床４１により構成されている。
【００６１】
格納空間４の昇降床４１の下方には、地下空間４２が形成されている。
昇降床４１は、格納空間４の床の中央部分を構成しており、昇降床４１を下降させることで、格納物を地下空間４２に移動させる。
【００６２】
地下空間４２の上面には、開閉蓋４３が設置されている。
開閉蓋４３は、昇降床４１を下降させて、格納物が地下空間４２に収納された状態で、地下空間４２を密閉する。
【００６３】
この他の建物本体２の詳細は、第一の実施形態で示した内容と同様なため、詳細な説明は省略する。
また、通気路３の詳細も、第一の実施形態で示した通気路３と同様なため、詳細な説明は省略する。
【００６４】
以上、第三の実施形態の格納庫１によれば、格納空間４の床を昇降床４１とすることで、万が一建物本体２の内部に浸水したとしても、格納物を浸水の被害から守ることができる。
つまり、昇降床４１を地下空間４２に収納することで、浸水の被害から守ることができる。地下空間４２は、開閉蓋４３により密閉されるため、内部に土砂やゴミなどが流れ込むことがない。なお、開閉蓋４３は、床版２３に固定されたウィンチ（図示せず）を利用して昇降可能に構成されている。開閉蓋４３と格納空間４の床との隙間は、パッキン等により密封されている。
【００６５】
この他の第三の実施形態の格納庫１の作用効果は、第一の実施形態で示した内容と同様なため、詳細な説明は省略する。
【００６６】
以上、本発明の実施形態について説明した。しかし、本発明は、前述の各実施形態に限られず、前記の各構成要素については、本発明の趣旨を逸脱しない範囲で、適宜変更が可能である。
【００６７】
例えば、前記実施形態では、開閉扉６が格納空間４の側壁２１に形成された開口部２１ａに設置されている場合について説明したが、開閉扉６は、必要に応じて設置すればよい。
【００６８】
建物本体２は、少なくとも避難空間５が密閉可能に構成されていればよい。
また、格納空間４が密閉可能に構成されていれば、床版２３に形成された開口部２３ａには必ずしも遮蔽扉が設置されている必要はない。
【符号の説明】
【００６９】
１    格納庫
２    建物本体
２１  側壁
２３  床版
３    通気路
４    格納空間
５    避難空間
７    発電装置
【図１】
2014058830.tif 000003
【図２】
2014058830.tif 000004
【図３】
2014058830.tif 000005
【図４】
2014058830.tif 000006
【図５】
2014058830.tif 000007